(57)【特許請求の範囲】
【請求項１】
被験者の身体表面の所定部位に接触させるための複数の電極と、
前記複数の電極を用いて被験者の身体の生体インピーダンスを測定する生体インピーダンス測定部と、
前記生体インピーダンス測定部にて測定された生体インピーダンスに基づいて体脂肪量を算出する体脂肪量算出部とを備え、
前記複数の電極は、被験者の胴部の背中側の部分である背部の表面に接触させるための背部用電極と、被験者の上肢の表面に接触させるための上肢用電極とを少なくとも含み、
装着状態において、前記背部用電極を被験者の背部表面に押圧した状態で接触させるための装着ユニットをさらに備え、
前記装着ユニットは、前記装着状態において被験者の胴部を取り囲むように配置が可能な枠体を含み、
前記装着状態において前記背部用電極の背部表面に対する接触面が前方を向くように、前記背部用電極が前記枠体の後部の表面に露出して設けられ、
前記上肢用電極が、前記枠体の前記後部を除く前部、右側部および左側部の少なくともいずれかの表面に露出して設けられ、
前記上肢用電極が設けられた部分の前記枠体が、前記装着状態において被験者の手で把持が可能な形状とされ、
前記枠体の前記前部には、前記体脂肪量算出部にて算出された体脂肪量を表示するための表示部が前記装着状態において上方を向くように設けられ、
前記装着状態において前記枠体の前記前部に被験者の胴部が非接触となるように、前記枠体の前記前部と前記後部との間の距離が一定に保持されている、体脂肪測定装置。
【請求項２】
前記枠体の前記前部には、被験者が操作するための操作部がさらに設けられている、請求項１に記載の体脂肪測定装置。
【請求項３】
前記複数の電極は、被験者の下肢の表面に接触させるための下肢用電極をさらに含み、
被験者が乗ることで前記下肢用電極を被験者の足の裏に接触させるための台ユニットをさらに備え、
前記下肢用電極が、前記台ユニットの上面に露出して設けられている、請求項１または２に記載の体脂肪測定装置。
【請求項４】
前記台ユニットは、被験者の体重を測定する体重測定部を含んでいる、請求項３に記載の体脂肪測定装置。
【請求項５】
前記複数の電極は、被験者の下肢または臀部の表面に接触させるための下肢臀部用電極をさらに含み、
前記装着ユニットは、当該装着ユニットから接続線を介して引き出されることで下肢または臀部の表面に前記下肢臀部用電極を接触させるための引き出しユニット部を有し、
前記下肢臀部用電極が、前記引き出しユニット部の表面に露出して設けられている、請求項１または２に記載の体脂肪測定装置。
【請求項６】
前記体脂肪量算出部は、被験者の内臓脂肪量を算出する内臓脂肪量算出部および被験者の皮下脂肪量を算出する皮下脂肪量算出部の少なくともいずれかを含んでいる、請求項１から５のいずれかに記載の体脂肪測定装置。
【発明の詳細な説明】
【技術分野】
【０００１】
本発明は、生体インピーダンスを測定することによって被験者の体脂肪量を算出することが可能に構成された体脂肪測定装置に関し、より特定的には、家庭等においても容易に内臓脂肪量および／または皮下脂肪量を測定することが可能に構成された体脂肪測定装置に関する。
【背景技術】
【０００２】
近年、被験者の健康状態を知る一つの指標として、体脂肪量が注目されている。特に、内臓脂肪量は、内臓脂肪型肥満であるか否かの判断を行なうための指標として注目されている。この内臓脂肪型肥満は、糖尿病、高血圧症、高脂血症といった動脈硬化を引き起こし易い生活習慣病を誘発すると言われており、これら疾病の予防の観点から上記指標の活用が期待されている。ここで、内臓脂肪とは、腹筋および背筋の内側において内臓の周囲に蓄積した脂肪のことであり、胴部の表層に位置する皮下脂肪と区別されるものである。なお、内臓脂肪量を示す指標としては、臍位置に対応する部分の胴部断面において内臓脂肪が占める面積（以下、内臓脂肪断面積と称する）を採用することが一般的である。
【０００３】
通常、内臓脂肪量の測定には、Ｘ線ＣＴ（Computed Tomography）あるいはＭＲＩ（Magnetic Resonance Imaging）等を用いた画像解析法が利用されている。この画像解析法においては、Ｘ線ＣＴあるいはＭＲＩ等を用いることで取得した胴部の断層画像から内臓脂肪断面積が幾何学的に算出される。しかしながら、このような測定方法を用いるためには、Ｘ線ＣＴやＭＲＩ等、医療施設に設置される如くの大型の設備を使用することが必要であり、そのため当該測定方法を用いて日常的に内臓脂肪量を測定することは非常に困難である。また、Ｘ線ＣＴを利用した場合には、被曝の問題もあり、好ましい測定方法とは必ずしも言えない。
【０００４】
これに代わる測定方法として、生体インピーダンス法を応用することが検討されている。生体インピーダンス法は、家庭用の体脂肪測定装置において広く利用されている体脂肪量の測定方法であり、四肢に電極を接触配置させ、これら電極を用いて生体インピーダンスを測定することにより、測定された生体インピーダンスから体脂肪量を算出するものである。上述の体脂肪測定装置は、全身または四肢、胴部といった身体の部位別の体脂肪の蓄積度合いを正確に測定できるものである。
【０００５】
しかしながら、生体インピーダンス法を利用した従来の体脂肪測定装置は、上述したように全身または四肢あるいは胴部といった身体の部位別の体脂肪の蓄積度合いを測定するためのものであり、内臓脂肪の蓄積度合いや皮下脂肪の蓄積度合いを個別に抽出して正確に測定できるものではない。これは、上述したように、従来の体脂肪測定装置にあっては、四肢のみに電極が取付けられる構成であるため、内臓脂肪と皮下脂肪とを区別して個別に精度よく測定が行なえないためである。
【０００６】
そこで、このような問題を解決するために、直接胴部に電極を接触させ、当該電極を用いて生体インピーダンスを測定し、これに基づいて内臓脂肪量や皮下脂肪量を個別に精度よく算出することが検討されている。たとえば、特開２００２−３６９８０６号公報（特許文献１）には、ベルト部材の内周面上に電極を設け、当該ベルト部材を被験者の胴部に巻き付けて固定することにより、電極が胴部に対して接触配置されるように構成された体脂肪測定装置が開示されている。
【０００７】
また、特開２００５−２８８０２３号公報（特許文献２）や特開２００８−２３７５７１号公報（特許文献３）には、被験者の腹部に装着する装着ユニットの表面に電極を設け、当該装着ユニットを腹部に押し当てることで電極が腹部に対して接触配置されるように構成された体脂肪測定装置が開示されている。
【０００８】
さらに、特開２００７−１４６６４号公報（特許文献４）には、被験者の腹部に装着する装着ユニットと被験者が乗るための台ユニットとに装置を分離して構成し、上記装着ユニットの表面に腹部用電極を設けるとともに、当該装着ユニットに把手部を設けてこれに手用電極を設け、さらに上記台ユニットに足用電極を設け、上記装着ユニットの把手を手で把持することで手用電極が掌に接触配置され、当該把手を把持した手で装着ユニットを被験者の腹部に押し当てることで腹部用電極が腹部に対して接触配置され、さらに上記台ユニットに被験者が乗ることで足用電極が足の裏に接触配置されるように構成された体脂肪測定装置が開示されている。
【０００９】
また、具体的な装置構成についての言及はないものの、特開２００８−２２８８９０号公報（特許文献５）には、被験者の腹部に電極を接触配置させることなく背中に電極を接触配置させるとともに、手および足に電極を接触配置させて生体インピーダンスを測定し、当該測定した生体インピーダンスに基づいて内臓脂肪量および皮下脂肪量を算出することにより、高精度にこれら内臓脂肪量および皮下脂肪量が測定できることが記載されている。
【先行技術文献】
【特許文献】
【００１０】
【特許文献１】特開２００２−３６９８０６号公報
【特許文献２】特開２００５−２８８０２３号公報
【特許文献３】特開２００８−２３７５７１号公報
【特許文献４】特開２００７−１４６６４号公報
【特許文献５】特開２００８−２２８８９０号公報
【発明の概要】
【発明が解決しようとする課題】
【００１１】
ここで、生体インピーダンス法を応用して家庭等においても容易にかつ高精度に内臓脂肪量および皮下脂肪量を算出することが可能に構成された体脂肪測定装置を実現するためには、簡単な操作で簡便に測定が行なえるようにすることと、補助者等の協力を得なくとも被験者自らが１人で測定が行なえるようにすることとの２点を充足させることが重要となる。これらを考慮した場合には、測定時において被験者が仰臥姿勢や伏臥姿勢をとることは現実的ではなく、起立姿勢かあるいは着座姿勢で測定が行なえるように装置を構成することが好ましい。したがって、上記特許文献１および４に開示の如くの測定姿勢を採用することが、家庭用の体脂肪測定装置を実現する上で好適となる。
【００１２】
しかしながら、上記特許文献５に開示の如く、より高精度に内臓脂肪量および皮下脂肪量を算出するためには、腹部に電極を接触配置させるのではなく背中に電極を接触配置させるとともに、手および足に電極を接触配置させることが必要である。これは、腹部側に蓄積する皮下脂肪の厚みが、背部側に蓄積する皮下脂肪の厚みに比べて相対的に薄いため、腹部に電極を接触配置させた場合には、印加した電流が除脂肪部分を流れるために誤差が生じ易くなってしまうことがその要因の一つとして挙げられる。
【００１３】
しかしながら、上記特許文献１に開示の体脂肪測定装置にあっては、手および足に電極を接触配置させることは考慮されておらず、また上記特許文献４に開示の体脂肪測定装置にあっては、背中に電極を接触配置させることが何ら考慮されていない。そのため、上記特許文献５に開示の如くの測定方式を採用して家庭等においても容易にかつ高精度に内臓脂肪量および皮下脂肪量を算出できる体脂肪測定装置とするためには、何らかの改善が必要である。
【００１４】
したがって、本発明は、上述した問題点を解消すべくなされたものであり、家庭等においても容易にかつ高精度に内臓脂肪量等の体脂肪量を測定することができる体脂肪測定装置を提供することを目的とする。
【課題を解決するための手段】
【００１５】
本発明に基づく体脂肪測定装置は、複数の電極と、生体インピーダンス測定部と、体脂肪量算出部と、装着ユニットとを備えている。上記複数の電極は、被験者の身体の所定部位に接触させるためのものであり、被験者の胴部の背中側の部分である背部の表面に接触させるための背部用電極と、被験者の上肢の表面に接触させるための上肢用電極とを少なくとも含んでいる。上記生体インピーダンス測定部は、上記複数の電極を用いて被験者の身体の生体インピーダンスを測定する部位である。上記体脂肪量算出部は、上記生体インピーダンス測定部にて測定された生体インピーダンスに基づいて体脂肪量を算出する部位である。上記装着ユニットは、装着状態において上記背部用電極を被験者の背部表面に押圧した状態で接触させるためのものである。上記装着ユニットは、上記装着状態において被験者の胴部を取り囲むように配置が可能な枠体を含んでいる。上記背部用電極は、上記装着状態において当該背部用電極の背部表面に対する接触面が前方を向くように、上記枠体の後部の表面に露出して設けられている。上記上肢用電極は、上記枠体の上記後部を除く前部、右側部および左側部の少なくともいずれかの表面に露出して設けられている。上記上肢用電極が設けられた部分の上記枠体は、上記装着状態において被験者の手で把持が可能な形状とされている。上記枠体の上記前部には、上記体脂肪量算出部にて算出された体脂肪量を表示するための表示部が上記装着状態において上方を向くように設けられている。上記本発明に基づく体脂肪測定装置にあっては、上記装着状態において上記枠体の上記前部に被験者の胴部が非接触となるように、上記枠体の上記前部と上記後部との間の距離が一定に保持されている。
上記本発明に基づく体脂肪測定装置にあっては、さらに、被験者が操作するための操作部が、上記枠体の上記前部に設けられていてもよい。
【００２２】
上記本発明に基づく体脂肪測定装置にあっては、上記複数の電極が、被験者の下肢の表面に接触させるための下肢用電極をさらに含んでいることが好ましい。その場合には、上記本発明に基づく体脂肪測定装置が、さらに、被験者が乗ることで上記下肢用電極を被験者の足の裏に接触させるための台ユニットを備えていることが好ましく、その場合に、上記下肢用電極が、上記台ユニットの上面に露出して設けられていることが好ましい。また、さらにその場合には、上記台ユニットが、被験者の体重を測定する体重測定部を含んでいることが好ましい。
【００２３】
上記本発明に基づく体脂肪測定装置にあっては、上記複数の電極が、被験者の下肢または臀部の表面に接触させるための下肢臀部用電極をさらに含んでいることが好ましい。その場合には、上記装着ユニットが、当該装着ユニットから接続線を介して引き出されることで下肢または臀部の表面に上記下肢臀部用電極を接触させるための引き出しユニット部を有していることが好ましく、その場合に、上記下肢臀部用電極が、上記引き出しユニット部の表面に露出して設けられていることが好ましい。
【００２４】
上記本発明に基づく体脂肪測定装置にあっては、上記体脂肪量算出部が、被験者の内臓脂肪量を算出する内臓脂肪量算出部および被験者の皮下脂肪量を算出する皮下脂肪量算出部の少なくともいずれかを含んでいることが好ましい。
【発明の効果】
【００２５】
本発明によれば、家庭等においても容易にかつ高精度に内臓脂肪量等の体脂肪量を測定することができる体脂肪測定装置とできる。
【図面の簡単な説明】
【００２６】
【図１】本発明の実施の形態１における体脂肪測定装置の測定原理を説明するための図である。
【図２】本発明の実施の形態１における体脂肪測定装置の機能ブロックの構成を示す図である。
【図３】本発明の実施の形態１における体脂肪測定装置の非収納状態を示す斜視図である。
【図４】本発明の実施の形態１における体脂肪測定装置の収納状態を示す斜視図である。
【図５】本発明の実施の形態１における体脂肪測定装置の装着ユニットの上面図である。
【図６】本発明の実施の形態１における体脂肪測定装置を用いて測定を行なう場合に被験者がとるべき手順を説明するための図である。
【図７】本発明の実施の形態１における体脂肪測定装置を用いて測定を行なう場合に被験者がとるべき手順を説明するための図である。
【図８】本発明の実施の形態１における体脂肪測定装置を用いて測定を行なう場合に被験者がとるべき手順を説明するための図である。
【図９】本発明の実施の形態１における体脂肪測定装置の装着ユニットの装着状態を示す図である。
【図１０】本発明の実施の形態１における体脂肪測定装置の装着ユニットの装着状態を示す図である。
【図１１】本発明の実施の形態１における体脂肪測定装置の制御部の処理を示すフロー図である。
【図１２】本発明の実施の形態２における体脂肪測定装置の斜視図である。
【図１３】本発明の実施の形態３における体脂肪測定装置の測定原理を説明するための図である。
【図１４】本発明の実施の形態３における体脂肪測定装置の機能ブロックの構成を示す図である。
【図１５】本発明の実施の形態３における体脂肪測定装置の斜視図である。
【図１６】本発明の実施の形態４における体脂肪測定装置の斜視図である。
【図１７】本発明の実施の形態４における体脂肪測定装置を装着した状態を示す図である。
【図１８】本発明の実施の形態４に基づいた第１変形例に係る体脂肪測定装置の斜視図である。
【図１９】本発明の実施の形態４に基づいた第２変形例に係る体脂肪測定装置の斜視図である。
【発明を実施するための形態】
【００２７】
以下、本発明の実施の形態について、図を参照して詳細に説明する。なお、以下に示す各実施の形態においては、同一または対応する部分に図中同一の符号を付し、その説明は個々には繰り返さない。
【００２８】
まず、本発明の各実施の形態について説明するに先立ち、身体の部位を表わす用語の定義を行なう。「胴部」は、身体の頭部、頸部および四肢を除く部位であり、いわゆる体幹に相当する。「背部」は、上記胴部のうちの背中側に位置する部分を意味し、上記胴部のうちの腹部側の部分および胸部側の部分を除く部分に相当する。「背部表面」は、上記背部の体表面全体を意味しており、被験者を背中側から観察した場合に視認可能な部分の胴部表面の全体を言う。また、「体軸」は、胴部の延在方向に沿って位置する軸、すなわち被験者の胴部の横断面に対して略垂直な方向に延びる軸を言う。
【００２９】
（実施の形態１）
図１（Ａ）および図１（Ｂ）は、本発明の実施の形態１における体脂肪測定装置の測定原理を説明するための図である。ここで、図１（Ａ）は、胴部全体の生体インピーダンスを得る場合の電極配置を示した図であり、図１（Ｂ）は、胴部のうちの背部側の表層部分の生体インピーダンスを得る場合の電極配置を示した図である。まず、これら図１（Ａ）および図１（Ｂ）を参照して、本実施の形態における体脂肪測定装置の測定原理について説明する。なお、図１（Ａ）および図１（Ｂ）においては、被験者をいずれも背中側から見た様子を示している。
【００３０】
図１（Ａ）に示すように、胴部全体の生体インピーダンスを得るためには、被験者の左手の表面および右手の表面にそれぞれ電極ＥＩａA1，ＥＩａA2が取付けられる。また、被験者の左足の表面および右足の表面にもそれぞれ電極ＥＩｂA1，ＥＩｂA2が取付けられる。そして、被験者の背部表面には、体軸方向に沿って並ぶように配置された一対の電極が、胴部の横幅方向に沿って４組取付けられる。すなわち、被験者の背部表面には、図示するように、電極ＥＶａA1，ＥＶｂA1，ＥＶａA2，ＥＶｂA2，ＥＶａA3，ＥＶｂA3，ＥＶａA4，ＥＶｂA4の合計８個の電極が取付けられる。
【００３１】
この状態において、両手および両足のそれぞれに取付けられた電極ＥＩａA1，ＥＩａA2，ＥＩｂA1，ＥＩｂA2を用いて、胴部を通る定電流ＩAが被験者に印加される。そして、この定電流ＩAが印加された状態において、背部表面に取付けられた一対の電極ＥＶａA1，ＥＶｂA1を用いて電位差ＶA1が検出され、背部表面に取付けられた一対の電極ＥＶａA2，ＥＶｂA2を用いて電位差ＶA2が検出され、背部表面に取付けられた一対の電極ＥＶａA3，ＥＶｂA3を用いて電位差ＶA3が検出され、背部表面に取付けられた一対の電極ＥＶａA4，ＥＶｂA4を用いて電位差ＶA4が検出される。
【００３２】
このようにして検出された電位差ＶA1，ＶA2，ＶA3，ＶA4から、胴部全体の生体インピーダンスＺｔが算出される。なお、その際、検出された上記４つの電位差ＶA1，ＶA2，ＶA3，ＶA4の平均値を算出することで生体インピーダンスＺｔを求めることとすれば、胴部の内部における脂肪分布のばらつきの影響が低減できることになる。
【００３３】
ここで、上記状態においては、胴部から離れた位置にある両手および両足間において定電流ＩAが流されているため、印加された定電流ＩAは、その殆どが電気抵抗の低い部分、すなわち脂肪以外の部分を通ることになる。そのため、このような定電流ＩAを用いて測定された電位差ＶA1，ＶA2，ＶA3，ＶA4から算出される上記生体インピーダンスＺｔは、胴部内部における除脂肪（内臓、筋肉および骨格）の量の影響を受けるところが大きくなる。したがって、上記生体インピーダンスＺｔに基づいて臍位置に対応する部分の胴部断面において除脂肪が占める面積（以下、除脂肪断面積と称する）Ｓａが推定できることになる。
【００３４】
一方、図１（Ｂ）に示すように、胴部のうちの背部側の表層部分の生体インピーダンスを得るためには、被験者の背部表面に、体軸方向に沿って並ぶように配置された一対の電極が、胴部の横幅方向に沿って４組取付けられる。すなわち、被験者の背部表面には、図示するように、電極ＥＩａB1，ＥＩｂB1，ＥＶａB1，ＥＶｂB1，ＥＶａB2，ＥＶｂB2，ＥＩａB2，ＥＩｂB2の合計８個の電極が取付けられる。
【００３５】
この状態において、一対の電極ＥＩａB1，ＥＩｂB1を用いて、背部を局所的に通る定電流ＩB1が被験者に印加され、一対の電極ＥＩａB2，ＥＩｂB2を用いて、背部を局所的に通る定電流ＩB2が被験者に印加される。そして、この定電流ＩB1，ＩB2が印加された状態において、背部表面に取付けられた一対の電極ＥＶａB1，ＥＶｂB1を用いて電位差ＶB1が検出され、背部表面に取付けられた一対の電極ＥＶａB2，ＥＶｂB2を用いて電位差ＶB2が検出される。ここで、被験者に印加される２つの定電流ＩB1，ＩB2の電流値は、同じ値とされる。
【００３６】
このようにして検出された電位差ＶB1，ＶB2から、胴部のうちの背部側の表層部分の生体インピーダンスＺｓが算出される。なお、その際、検出された上記２つの電位差ＶB1，ＶB2の平均値を算出することで生体インピーダンスＺｓを求めることとすれば、胴部の背部の表層部分における脂肪分布のばらつき等の影響が低減できることになる。なお、電流が印加されていた電極を電位差を検出するための電極とし、かつ電位差を検出していた電極を電流を印加するための電極とするように回路を切り替えることにより、４箇所で電位差を測定することも可能になる。このようにすることにより、皮下脂肪のばらつき等の影響をより一層低減させることができる。
【００３７】
ここで、上記状態においては、胴部の背部において局所的に定電流ＩB1，ＩB2が印加されているため、印加された定電流ＩB1，ＩB2は、いずれもその殆どが背部の表層部分を通ることになる。そのため、このような定電流ＩB1，ＩB2を用いて測定された電位差ＶB1，ＶB2から算出される上記生体インピーダンスＺｓは、皮下脂肪量の影響を受けるところが大きくなる。したがって、上記生体インピーダンスＺｓに基づいて胴部の臍位置を含む断面における皮下脂肪断面積（以下、皮下脂肪断面積と称する）Ｓｂが推定できることになる。
【００３８】
次に、このようにして得られた上記生体インピーダンスＺｔおよびＺｓを用いて内臓脂肪量を算出する演算処理の一例について説明する。
【００３９】
臍位置に対応する部分の胴部断面の全体の面積（以下、胴部断面積と称する）をＳｔとすれば、内臓脂肪断面積Ｓｘは、胴部断面積Ｓｔと、上述した除脂肪断面積Ｓａおよび皮下脂肪断面積Ｓｂとを用いて、以下の式（１）より算出することができる。
【００４０】
Ｓｘ＝Ｓｔ−Ｓａ−Ｓｂ      ・・・式（１）
【００４１】
ここで、胴部断面積Ｓｔは、胴部周囲長（いわゆるウエスト長）や、胴部の横幅および縦幅を用いて算出することが可能である。たとえば、胴部の横幅および縦幅から胴部断面積Ｓｔを算出する場合には、胴部の横幅を２ａ、胴部の縦幅を２ｂとすれば、胴部の断面形状はおおよそ楕円形であるため、胴部断面積Ｓｔは、以下の式（２）で近似できる。
【００４２】
Ｓｔ＝π×ａ×ｂ      ・・・式（２）
【００４３】
ただし、上記式（２）で近似される胴部断面積Ｓｔは、誤差が多く含まれている可能性が高いため、誤差を低減するための係数αをこれに乗ずることによって、より正確な胴部断面積Ｓｔを求めることが好ましい。この係数αとしては、たとえば多数のＸ線ＣＴによる画像サンプルに基づいて、当該画像サンプルから得られる胴部断面積Ｓｔ′と、上記ａおよびｂとの関係から、Ｓｔ′＝α×π×ａ×ｂを充足するαの最適値を求めることで得られる。
【００４４】
したがって、上記式（２）は、係数αを用いることで、以下の式（３）によってより誤差を低減した状態で近似できることになる。
【００４５】
Ｓｔ＝α×π×ａ×ｂ      ・・・式（３）
【００４６】
なお、上記補正のために乗ずる係数αに関しては、被験者の性別、年齢、身長、体重等の情報（以下、これらを総称して被験者情報と称する）に応じて適宜最適化することが好ましい。すなわち、当該被験者情報に応じて上記係数αの値を変更することにより、より高精度に胴部断面積Ｓｔが近似できることになる。
【００４７】
また、上記のとおり、除脂肪断面積Ｓａは、胴部全体の生体インピーダンスＺｔに基づいて算出することができる。ただし、この胴部全体の生体インピーダンスＺｔのみでは、除脂肪断面積Ｓａを正確に算出することはできない。すなわち、除脂肪断面積Ｓａは、胴部の大きさに比例する傾向があり、除脂肪断面積Ｓａを算出するためには、生体インピーダンスＺｔから得られる値をさらに換算することが必要である。したがって、除脂肪断面積Ｓａは、たとえば以下の式（４）で表わされることになる。
【００４８】
Ｓａ＝β×ａ×（１／Ｚｔ）      ・・・式（４）
【００４９】
ここで、上記ａは、上述のとおり胴部の横幅の半分の値であり、胴部の大きさに関係する値である。この胴部の大きさに関係する値としては、上記ａに限られず、たとえば胴部の横幅および縦幅が反映されるようにａ×ｂを使用してもよいし、胴部断面積Ｓｔを使用してもよいし、胴部周囲長を使用してもよい。
【００５０】
一方、上記βは、胴部全体の生体インピーダンスＺｔを除脂肪断面積Ｓａに換算するための係数であり、上記係数αを求めた場合と同様に、たとえば多数のＸ線ＣＴによる画像サンプルに基づいて最適値を求めることができる。すなわち、多数のＸ線ＣＴによる画像サンプルから得られる除脂肪断面積Ｓａ′と、当該Ｘ線ＣＴの撮影対象となった被験者の胴部全体の生体インピーダンスＺｔと、上記ａとの関係から、Ｓａ′＝β×ａ×（１／Ｚｔ）を充足するβの最適値を求めることで得られる。
【００５１】
なお、上述した係数βは、上記係数αの場合と同様に、被験者情報に応じて適宜最適化されることが好ましい。すなわち、当該被験者情報に応じて上記係数βの値を変更することにより、より高精度に除脂肪断面積Ｓａを近似できることになる。
【００５２】
さらに、上記のとおり、皮下脂肪断面積Ｓｂは、胴部のうちの背部側の表層部分の生体インピーダンスＺｓに基づいて算出することができる。ただし、この胴部のうちの背部側の表層部分の生体インピーダンスＺｓのみでは、皮下脂肪断面積Ｓｂを正確に算出することはできない。すなわち、皮下脂肪断面積Ｓｂは、胴部の大きさに比例する傾向があり、皮下脂肪断面積Ｓｂを算出するためには、生体インピーダンスＺｓから得られる値をさらに換算することが必要である。したがって、皮下脂肪断面積Ｓｂは、たとえば以下の式（５）で表わされることになる。
【００５３】
Ｓｂ＝γ×ａ×Ｚｓ      ・・・式（５）
【００５４】
ここで、上記ａは、上述のとおり胴部の横幅の半分の値であり、胴部の大きさに関係する値である。この胴部の大きさに関係する値としては、上記ａに限られず、たとえば胴部の横幅および縦幅が反映されるようにａ×ｂを使用してもよいし、胴部断面積Ｓｔを使用してもよいし、胴部周囲長を使用してもよい。
【００５５】
一方、上記γは、胴部のうちの背部側の表層部分の生体インピーダンスＺｓを皮下脂肪断面積Ｓｂに換算するための係数であり、上記係数αまたは係数βを求めた場合と同様に、たとえば多数のＸ線ＣＴによる画像サンプルに基づいて最適値を求めることができる。すなわち、多数のＸ線ＣＴによる画像サンプルから得られる皮下脂肪断面積Ｓｂ′と、当該Ｘ線ＣＴの撮影対象となった被験者の胴部のうちの背部側の表層部分の生体インピーダンスＺｓと、上記ａとの関係から、Ｓｂ′＝γ×ａ×Ｚｓを充足するγの最適値を求めることで得られる。
【００５６】
なお、上述した係数γは、上記係数αおよび係数βの場合と同様に、被験者情報に応じて適宜最適化されることが好ましい。すなわち、当該被験者情報に応じて上記係数γの値を変更することにより、より高精度に皮下脂肪断面積Ｓｂを近似できることになる。
【００５７】
以上のように、本実施の形態における体脂肪測定装置においては、胴部断面積Ｓｔと、胴部全体の生体インピーダンスＺｔに基づいて算出される除脂肪断面積Ｓａと、胴部のうちの背部側の表層部分の生体インピーダンスＺｓに基づいて算出される皮下脂肪断面積Ｓｂとから、上記式（１）に基づいて内臓脂肪断面積Ｓｘが算出され、より詳細には、上記式（１）に上記式（３）ないし式（５）を代入した以下の式（６）に基づいて内臓脂肪断面積Ｓｘが算出されることになる。
【００５８】
Ｓｘ＝α×π×ａ×ｂ−β×ａ×（１／Ｚｔ）−γ×ａ×Ｚｓ      ・・・式（６）
【００５９】
図２は、本実施の形態における体脂肪測定装置の機能ブロックの構成を示す図である。次に、この図２を参照して、本実施の形態における体脂肪測定装置の機能ブロックの構成について説明する。
【００６０】
図２に示すように、本実施の形態における体脂肪測定装置１Ａは、制御部１０と、定電流生成部２１と、端子切替部２２と、電位差検出部２３と、胴部横幅検出部２４Ａと、胴部縦幅検出部２４Ｂと、被験者情報入力部２５と、表示部２６と、操作部２７と、電源部２８と、メモリ部２９と、被験者の身体に装着される複数の電極ＨＲ，ＨＬ，ＢＵ１〜ＢＵ４，ＢＬ１〜ＢＬ４，ＦＲ，ＦＬとを主として備えている。制御部１０は、演算処理部１１を含んでおり、当該演算処理部１１は、生体インピーダンス測定部１２と、体形情報測定部１３と、体組成情報取得部１４とを含んでいる。
【００６１】
制御部１０は、たとえばＣＰＵ（Central Processor Unit）によって構成され、体脂肪測定装置１Ａの全体を制御するための部位である。具体的には、制御部１０は、上述した各機能ブロックに対して指令を出力したり、上述した各機能ブロックから各種情報の入力を受け付けたり、受け付けた各種情報に基づいて各種演算処理を行なったりする。このうちの各種演算処理については、上述した制御部１０に設けられた演算処理部１１によって行なわれる。
【００６２】
上述した複数の電極は、被験者の上肢の表面に接触配置される上肢用電極としての手用電極ＨＲ，ＨＬと、被験者の背部表面に接触配置される背部用電極ＢＵ１〜ＢＵ４，ＢＬ１〜ＢＬ４と、被験者の下肢の表面に接触配置される下肢用電極としての足用電極ＦＲ，ＦＬとを含んでいる。このうち、手用電極ＨＲ，ＨＬは、被験者の掌に接触配置され、足用電極ＦＲ，ＦＬは、被験者の足の裏に接触配置される。また、背部用電極ＢＵ１〜ＢＵ４，ＢＬ１〜ＢＬ４は、図１（Ａ）および図１（Ｂ）に示したように、被験者の背部表面に整列した状態で接触配置される。なお、これら手用電極ＨＲ，ＨＬ、背部用電極ＢＵ１〜ＢＵ４，ＢＬ１〜ＢＬ４、および足用電極ＦＲ，ＦＬは、いずれも上述した端子切替部２２に電気的に接続されている。
【００６３】
端子切替部２２は、たとえばリレー回路によって構成され、制御部１０から入力される指令に基づき、上述した複数の電極のうちから選択された特定の電極と定電流生成部２１とを電気的に接続するとともに、上述した複数の電極のうちから選択された特定の電極と電位差検出部２３とを電気的に接続する。これにより、端子切替部２２によって定電流生成部２１に電気的に接続された電極が定電流印加電極として機能することになり、また端子切替部２２によって電位差検出部２３に電気的に接続された電極が電位差検出電極して機能することになる。すなわち、端子切替部２２が制御部１０から入力される指令に基づいて動作することにより、上述した複数の電極ＨＲ，ＨＬ，ＢＵ１〜ＢＵ４，ＢＬ１〜ＢＬ４，ＦＲ，ＦＬのそれぞれが、図１（Ａ）に示した各電極ＥＩａA1，ＥＩａA2，ＥＩｂA1，ＥＩｂA2，ＥＶａA1，ＥＶｂA1，ＥＶａA2，ＥＶｂA2，ＥＶａA3，ＥＶｂA3，ＥＶａA4，ＥＶｂA4、および図１（Ｂ）に示した電極ＥＩａB1，ＥＩｂB1，ＥＶａB1，ＥＶｂB1，ＥＶａB2，ＥＶｂB2，ＥＩａB2，ＥＩｂB2としてそれぞれ機能することになる。
【００６４】
定電流生成部２１は、制御部１０から入力される指令に基づいて定電流を生成し、生成した定電流を端子切替部２２を介して上述の定電流印加電極に供給する。定電流生成部２１において生成される定電流としては、体組成情報を測定するために好適に使用される高周波電流（たとえば、５０ｋＨｚ，５００μＡ）が選択される。これにより、定電流印加電極を介して定電流が被験者に印加されることになる。
【００６５】
電位差検出部２３は、端子切替部２２によって電位差検出部２３に電気的に接続された電極（すなわち電位差検出電極）間における電位差を検出し、検出した電位差を制御部１０に対して出力する。これにより、上述した定電流が被験者に印加された状態における電位差検出電極間の電位差が検出されることになる。
【００６６】
胴部横幅検出部２４Ａは、被験者の胴部の横幅を非接触で測定するための検出部位であり、たとえば光センサ等の測距センサにて構成される。また、胴部縦幅検出部２４Ｂは、被験者の胴部の縦幅を非接触で測定するための検出部位であり、たとえば光センサ等の測距センサにて構成される。これら胴部横幅検出部２４Ａおよび胴部縦幅検出部２４Ｂは、検出値に応じた信号を体形情報測定部１３に対して出力する。なお、胴部横幅検出部２４Ａおよび胴部縦幅検出部２４Ｂとしては、上述した光センサの他にも、超音波や電磁波（レーザ光、可視光等を含む各種波長帯の光、電波、磁気、電界等）を利用する各種の非接触式測距センサを利用することもできるし、接触式の測距センサを利用することもできる。
【００６７】
被験者情報入力部２５は、演算処理部１１で行なわれる演算処理に利用される被験者に関する情報を得るための部位であり、たとえば被験者が押下可能なキー等によって構成される。ここで、被験者情報には、上述したように被験者の性別、年齢、身長、体重等の情報のうちの少なくとも１つが含まれる。被験者情報入力部２５は、被験者情報の入力を受け付け、受け付けた被験者情報を制御部１０に対して出力する。なお、被験者情報入力部２５は、本発明に照らした場合には必ずしも必須の構成ではなく、演算処理部１１で行なう演算処理において当該被験者情報を利用することが必要であるか否かに応じてその有無が決定されるものである。また、上述した胴部横幅検出部２４Ａおよび胴部縦幅検出部２４Ｂを設けて胴部の横幅および縦幅を実測することとせず、代わりに当該被験者情報入力部２５を介して胴部周囲長等が入力されてこれを利用して演算処理部で演算が行なわれるように構成することも可能である。
【００６８】
演算処理部１１は、上述したように生体インピーダンス測定部１２と、体形情報測定部１３と、体組成情報取得部１４とを含んでいる。また、体組成情報取得部１４は、内臓脂肪量算出部１４ａと、皮下脂肪量算出部１４ｂとを含んでいる。生体インピーダンス測定部１２は、電位差検出部２３から入力された信号に基づいて生体インピーダンスを算出し、これを体組成情報取得部１４に出力する。体形情報測定部１３は、胴部横幅検出部２４Ａおよび胴部縦幅検出部２４Ｂから入力された信号に基づいて被験者の胴部の横幅および縦幅を算出し、これを体組成情報取得部１４に出力する。体組成情報取得部１４は、生体インピーダンス測定部１２から入力された生体インピーダンスと、体形情報測定部１３から入力された胴部の横幅および縦幅と、場合によってはさらにこれに加えて被験者情報入力部２５から入力された被験者情報とに基づいて体組成情報を算出して取得する。より詳細には、内臓脂肪量算出部１４ａにおいて内臓脂肪量が算出され、皮下脂肪量算出部１４ｂにおいて皮下脂肪量が算出される。
【００６９】
表示部２６は、たとえばＬＣＤ（Liquid Crystal Display）等によって構成され、上述の体組成情報取得部１４において算出された体組成情報を表示する。より具体的には、内臓脂肪量算出部１４ａにおいて算出された内臓脂肪量および皮下脂肪量算出部１４ｂにおいて算出された皮下脂肪量が、制御部１０から出力される信号に基づいて当該表示部２６にて表示される。ここで、本実施の形態における体脂肪測定装置１Ａにおいては、内臓脂肪量がたとえば内臓脂肪断面積で表示され、皮下脂肪量がたとえば皮下脂肪断面積で表示される。
【００７０】
操作部２７は、体脂肪測定装置１Ａに対して被験者が命令を入力するための部位であり、たとえば被験者が押下可能なボタン等によって構成される。なお、操作部２７には、たとえば電源ボタンや測定ボタン等の各種操作ボタンを含んでいる。
【００７１】
電源部２８は、制御部１０に電力を供給するための部位であり、バッテリ等の内部電源や商用電源等の外部電源等が利用される。
【００７２】
メモリ部２９は、たとえばＲＡＭ（Random Access Memory）やＲＯＭ（Read Only Memory）等によって構成され、体脂肪測定装置１Ａに関する各種のデータやプログラム等を記憶するための部位である。メモリ部２９は、たとえば上述した被験者情報や算出された体組成情報、後述する体組成情報の測定処理を実行するための体組成情報測定プログラム等を記憶している。
【００７３】
図３は、本実施の形態における体脂肪測定装置の非収納状態を示す斜視図であり、図４は、収納状態を示す斜視図である。また、図５は、図３および図４に示す装着ユニットの上面図である。次に、これら図３ないし図５を参照して、本実施の形態における体脂肪測定装置の具体的な構造について説明する。
【００７４】
図３および図４に示すように、本実施の形態における体脂肪測定装置１Ａは、装着ユニット１００Ａと、台ユニット２００とを備えている。装着ユニット１００Ａは、後述する装着状態において被験者の胴部を取り囲むように配置することが可能な枠状の形状を有している。一方、台ユニット２００は、被験者が乗ることが可能な台状の形状を有している。なお、装着ユニット１００Ａと台ユニット２００とは、これらの内部に設けられる電気回路を電気的に接続するための接続ケーブル４０によって接続されている。
【００７５】
図３ないし図５に示すように、装着ユニット１００Ａは、棒状の後部枠状部１１１、棒状の右側部枠状部１１２、棒状の左側部枠状部１１３および棒状の前部枠状部１１４を含む枠体１１０と、枠体１１０の後部枠状部１１１に取付けられた電極支持体１２０と、枠体１１０の前部枠状部１１４に取付けられた表示用ユニット部１３０とを含んでいる。
【００７６】
枠体１１０は、上面視略矩形の額縁状の外形を有しており、被験者が内部に入ること（すなわち胴部を挿入すること）を可能にする中空開口部を有している。当該中空開口部は、上述した後部枠状部１１１、右側部枠状部１１２、左側部枠状部１１３および前部枠状部１１４によって規定されている。なお、左側部枠状部１１３と前部枠状部１１４とは不連続となっており、当該不連続部分に隣接する前部枠状部１１４の端部に上述した表示用ユニット部１３０が取付けられている。
【００７７】
枠体１１０の後部枠状部１１１の略中央部には、内側に向けて突出するように電極支持体１２０が配置されている。電極支持体１２０は、その両端部が前方に位置するとともにその中央部が後方に位置するように曲成された湾曲板にて構成されている。電極支持体１２０の前面１２１には、上述した背部用電極ＢＵ１〜ＢＵ４，ＢＬ１〜ＢＬ４が露出するように設けられており、好ましくは、当該背部用電極ＢＵ１〜ＢＵ４，ＢＬ１〜ＢＬ４は、電極支持体１２０の前面１２１から僅かに突出している。ここで、上記電極支持体１２０は、後述する装着状態において背部用電極ＢＵ１〜ＢＵ４，ＢＬ１〜ＢＬ４の被験者の背部表面に対する接触面が前方を向くように、後部枠状部１１１の前面に位置決めして取付けられている。
【００７８】
また、図５に示すように、電極支持体１２０は、枠体１１０の後部枠状部１１１にたとえばボールジョイント等を含む接続部１１５を介して取付けられている。これにより、電極支持体１２０は、後部枠状部１１１によって揺動可能に支持されている。なお、その揺動方向としては、電極支持体１２０が水平面内において左右に揺動する方向にのみ揺動可能となるように制限されていることが好ましい。このように構成すれば、後述する装着状態において、電極支持体１２０の前面１２１に設けられた背部用電極ＢＵ１〜ＢＵ４，ＢＬ１〜ＢＬ４を確実にかつ適正な押し付け力にて被験者の背部に接触させることができる。
【００７９】
また、接続部１１５にバネ等の弾性体を具備させることにより、電極支持体１２０が後部枠状部１１１によって弾性支持されるように構成してもよい。このように構成すれば、後述する装着状態において、電極支持体１２０の前面１２１に設けられた背部用電極ＢＵ１〜ＢＵ４，ＢＬ１〜ＢＬ４をより確実にかつより適正な押し付け力にて被験者の背部に接触させることができる。
【００８０】
図３ないし図５に示すように、枠体１１０の右側部枠状部１１２の略中央部には、上述した手用電極ＨＲが設けられている。手用電極ＨＲは、枠体１１０の右側部枠状部１１２の表面に露出して位置している。また、手用電極ＨＲが設けられた部分の枠体１１０の右側部枠状部１１２は、棒状に形成されることで右手での把持が可能な形状とされている。ここで、手用電極ＨＲの被験者の右手の掌との接触面は、主として枠体１１０の外側を向くように配置されていることが好ましい。
【００８１】
また、枠体１１０の右側部枠状部１１２の略中央部の内部には、上述した胴部横幅検出部２４Ａとしての光センサが埋設されるとともに、当該光センサが埋設された部分の右側部枠状部１１２の内側部分には、検出用窓部２４Ａ１が設けられている。この検出用窓部２４Ａ１は、光センサから出射される光を透過する部材にて構成される。
【００８２】
さらに、枠体１１０の右側部枠状部１１２の所定位置には、測定ボタン２７ａが設けられている。当該測定ボタン２７ａは、好ましくは手用電極ＨＲに隣接する位置に設けられる。これにより、測定の際に被験者が右手を移動させる必要がなくなるため、操作性に優れたものとすることができる。
【００８３】
枠体１１０の左側部枠状部１１３の略中央部には、上述した手用電極ＨＬが設けられている。手用電極ＨＬは、枠体１１０の左側部枠状部１１３の表面に露出して位置している。また、手用電極ＨＬが設けられた部分の枠体１１０の左側部枠状部１１３は、棒状に形成されることで左手での把持が可能な形状とされている。ここで、手用電極ＨＬの被験者の左手の掌との接触面は、主として枠体１１０の外側を向くように配置されていることが好ましい。
【００８４】
また、図５に示すように、枠体１１０の左側部枠状部１１３の略中央部の内部には、上述した胴部横幅検出部２４Ａとしての光センサが埋設されるとともに、当該光センサが埋設された部分の左側部枠状部１１３の内側部分には、検出用窓部２４Ａ２が設けられている。この検出用窓部２４Ａ２は、光センサから出射される光を透過する部材にて構成される。
【００８５】
図３ないし図５に示すように、枠体１１０の前部枠状部１１４には、上述したように表示用ユニット部１３０が取付けられている。当該表示用ユニット部１３０の上面には、表示部２６が設けられており、さらに当該表示部２６に隣接する部分の表示用ユニット部１３０の上面には、被験者情報入力部２５と、測定ボタン２７ａを除く他の操作部２７とが設けられている。なお、表示用ユニット部１３０は、装着状態において被験者の正面に配置されることが好ましく、そのため当該表示用ユニット部１３０は、上述した電極支持体１２０の前方（すなわち枠体１１０の左右方向における略中央部）に配置されている。
【００８６】
また、図５に示すように、表示用ユニット部１３０の内部には、上述した胴部縦幅検出部２４Ｂとしての光センサが埋設されるとともに、当該光センサが埋設された部分の表示用ユニット部１３０の後面側部分には、検出用窓部２４Ｂ１が設けられている。この検出用窓部２４Ｂ１は、光センサから出射される光を透過する部材にて構成される。
【００８７】
一方、図３および図４に示すように、台ユニット２００は、箱状の台部２１０と、この台部２１０の前面、後面、右側面および左側面の所定位置からそれぞれ台部２１０の外側に向かって突出して位置する支持部２２０とを備えている。
【００８８】
台部２１０は、被験者が乗るための上面２１１を有しており、当該上面２１１の所定位置に、上述した足用電極ＦＲ，ＦＬがそれぞれ設けられている。足用電極ＦＲ，ＦＬは、台部２１０の上面に露出して位置している。ここで、当該足用電極ＦＲ，ＦＬの被験者の右足の足の裏および左足の足の裏に接触する接触面は、いずれも上方を向くように構成されている。
【００８９】
支持部２２０は、図４に示すように、収納状態において装着ユニット１００Ａを支持して収容するための部位であり、枠体１１０の後部枠状部１１１、右側部枠状部１１２、左側部枠状部１１３および前部枠状部１１４をそれぞれ受け入れて支持することが可能な形状を有している。図示するように、収納状態においては、台ユニット２００の台部２１０を取り囲むように装着ユニット１００Ａの枠体１１０が配置されることになる。なお、当該収納状態においては、装着ユニット１００Ａと台ユニット２００とを接続する接続ケーブル４０が台ユニット２００内に収容されるように構成されていることが好ましい。このように構成するためには、台ユニット２００の内部に接続ケーブル４０を巻き取ることが可能なリール体を設けることとすればよい。
【００９０】
上述した図２に示した制御部１０、定電流生成部２１、端子切替部２２、電位差検出部２３、メモリ部２９等は、装着ユニット１００Ａの内部に設けられていてもよいし、台部２１０の内部に設けられていてもよい。また、本実施の形態における体脂肪測定装置１Ａにあっては、被験者情報入力部２５、表示部２６および操作部２７が装着ユニット１００Ａに設けられているが、これらを台ユニット２００に設けることとしてもよい。
【００９１】
図６ないし図８は、本実施の形態における体脂肪測定装置を用いて測定を行なう場合に被験者がとるべき手順を説明するための図である。また、図９および図１０は、本実施の形態における体脂肪測定装置の装着ユニットの装着状態を示す図である。次に、これら図６ないし図１０を参照して、本実施の形態における体脂肪測定装置を用いて測定を行なう場合に被験者がとるべき手順および装着ユニットの装着状態について説明する。
【００９２】
図６に示すように、本実施の形態における体脂肪測定装置１Ａを用いて体脂肪量の測定を行なう場合には、まずは、被験者３００は、収納状態にある体脂肪測定装置１Ａの台ユニット２００上に乗る。このとき、被験者３００は、右足３０１の足の裏が台ユニット２００に設けられた足用電極ＦＲに接触し、かつ左足３０２の足の裏が台ユニット２００に設けられた足用電極ＦＬに接触するようにする。
【００９３】
次に、図７に示すように、被験者３００は、上体を屈めてしゃがんだ姿勢をとり、右手３０３にて装着ユニット１００Ａの右側部枠状部１１２を把持するとともに、左手３０４にて装着ユニット１００Ａの左側部枠状部１１３を把持する。このとき、被験者３００は、右手３０３の掌が装着ユニット１００Ａに設けられた手用電極ＨＲに接触し、かつ左手３０４の掌が装着ユニット１００Ａに設けられた手用電極ＨＬに接触するようにする。
【００９４】
次に、図８に示すように、被験者３００は、装着ユニット１００Ａを把持した状態を維持しつつ上体を起こし、起立姿勢をとる。このとき、被験者３００は、踏み位置を変えずに、右足３０１の足の裏と足用電極ＦＲとが接触し、かつ左足３０２の足の裏と足用電極ＦＬとが接触した状態を維持する。ここで、被験者３００が上体を起こすことにより、装着ユニット１００Ａは持ち上げられ、被験者３００の胴部３０５は、装着ユニット１００Ａの中空開口部に位置し、枠体１１０によって囲まれた状態となる。なお、接続ケーブル４０は、装着ユニット１００Ａが持ち上げられることにより、台ユニット２００から引き出されることになる。
【００９５】
次に、被験者３００は、装着ユニット１００Ａに設けられた電極支持体１２０の前面１２１が背部表面（より具体的には、背中側の腰の表面）に押し当てられることとなるように、装着ユニット１００Ａを把持した状態のまま装着ユニット１００Ａを図中矢印Ｃ方向に移動させることでその位置を調節する。なお、このとき、被験者３００は、装着ユニット１００Ａの枠体１１０が水平に配置されるように注意する。
【００９６】
以上により、図９および図１０に示す如くの装着ユニット１００Ａの装着状態が実現され、体脂肪量の測定が開始可能となる。ここで、体脂肪量の測定を開始するためには、被験者３００は、右手３０３の親指で測定ボタン２７ａを押下すればよい。なお、上記においては説明を省略したが、被験者３００は、適宜のタイミングで電源ボタンを投入することが要求される。当該電源ボタンの投入のタイミングは特に限定されるものではないが、被験者３００がしゃがんだ姿勢をとって装着ユニット１００Ａを把持する前のタイミングにおいて電源ボタンが投入されることが好ましい。
【００９７】
図９および図１０に示すように、被験者３００が装着ユニット１００Ａを装着した装着状態においては、被験者３００の臍位置を含む胴部３０５の周りに胴部横幅検出部２４Ａとしての光センサと胴部縦幅検出部２４Ｂとしての光センサとが位置することになる。したがって、胴部横幅検出部２４Ａとしての一対の光センサから出射された光は、検出用窓部２４Ａ１，２４Ａ２を介してそれぞれ被験者３００の胴部３０５の右側面（すなわち右脇腹部表面）および胴部３０５の左側面（すなわち左脇腹部表面）に照射可能となり、胴部縦幅検出部２４Ｂとしての光センサから出射された光は、検出用窓部２４Ｂ１を介して被験者３００の胴部３０５の前面（すなわち腹部の臍位置近傍）に照射可能となる。
【００９８】
ここで、図１０に示すように、胴部横幅検出部２４Ａとしての一対の光センサにて検出された距離Ａ１（すなわち、右側部枠状部１１２と被験者３００の胴部３０５の右側面との間の距離）および距離Ａ２（すなわち、左側部枠状部１１３と被験者３００の胴部３０５の左側面との間の距離）と、予め定められている距離Ａ（すなわち、右側部枠状部１１２と左側部枠状部１１３との間の距離）とを用いれば、被験者３００の胴部３０５の横幅２ａの算出が可能となる。また、同様に、胴部縦幅検出部２４Ｂとしての光センサにて検出された距離Ｂ１（すなわち、表示用ユニット部１３０の後面と被験者３００の胴部３０５の前面との間の距離）と、予め定められている距離Ｂ（すなわち、表示用ユニット部１３０の後面と電極支持体１２０の前面１２１の水平方向の中央位置との間の距離）とを用いれば、被験者３００の胴部３０５の縦幅２ｂの算出が可能となる。
【００９９】
図１１は、本実施の形態における体脂肪測定装置の制御部の処理を示すフロー図である。次に、この図１１を参照して、本実施の形態における体脂肪測定装置の制御部において実行される一連の処理について説明する。なお、図１１のフローチャートに示す処理は、予めプログラムとしてメモリ部２９に格納されており、演算処理部１１を含む制御部１０がこのプログラムを読み出して実行することにより、内臓脂肪断面積の測定処理、皮下脂肪断面積の測定処理が制御部１０によって実現される。
【０１００】
図１１に示すように、制御部１０は、まず被験者情報の入力を受け付ける（ステップＳ１）。ここで受け付けた被験者情報は、たとえばメモリ部２９に一時的に保存される。
【０１０１】
次に、制御部１０は、測定開始の指示があったか否かを判断する（ステップＳ２）。制御部１０は、測定開始の指示があるまで待機し（ステップＳ２においてＮＯ）、測定開始の指示を検知した場合に（ステップＳ２においてＹＥＳ）、次の処理に移行する。なお、測定開始の指示は、被験者による測定ボタン２７ａの押下による。
【０１０２】
次に、制御部１０は、胴部の横幅および縦幅を計測する（ステップＳ３）。具体的には、制御部１０は、胴部横幅検出部２４Ａおよび胴部縦幅検出部２４Ｂから入力された信号に基づいて体形情報測定部１３において被験者の胴部の横幅２ａおよび縦幅２ｂを取得する。取得した被験者の胴部の横幅２ａおよび縦幅２ｂは、一時的にメモリ部２９に保存される。
【０１０３】
次に、制御部１０は、電極の設定を行なう（ステップＳ４）。具体的には、制御部１０は、端子切替部２２に対して電極の切替えを行なうように指令を出力し、これに基づいて端子切替部２２は、複数の電極ＨＲ，ＨＬ，ＢＵ１〜ＢＵ４，ＢＬ１〜ＢＬ４，ＦＲ，ＦＬのそれぞれを、図１（Ａ）に示した各電極の如くに設定する。
【０１０４】
次に、制御部１０は、定電流印加電極間に定電流を印加する（ステップＳ５）。具体的には、制御部１０は、定電流生成部２１に対して定電流を生成するように指令を出力し、これに基づいて定電流生成部２１は、図１（Ａ）に示した定電流印加電極間に生成した定電流ＩAを印加する。
【０１０５】
次に、制御部１０は、電位差検出電極間の電位差を検出する（ステップＳ６）。具体的には、制御部１０は、電位差検出部２３に対して電位差を検出するように指令を出力し、これに基づいて電位差検出部２３は、図１（Ａ）に示した電位差検出電極間の電位差ＶA1，ＶA2，ＶA3，ＶA4を検出し、これを生体インピーダンス測定部１２に対して出力する。
【０１０６】
次に、制御部１０は、生体インピーダンスＺｔを算出する（ステップＳ７）。具体的には、制御部１０は、電位差検出部２３から入力された信号に基づいて生体インピーダンス測定部１２において生体インピーダンスＺｔを算出する。算出された生体インピーダンスＺｔは、メモリ部２９に一時的に保存される。
【０１０７】
次に、制御部１０は、改めて電極の設定を行なう（ステップＳ８）。具体的には、制御部１０は、端子切替部２２に対して電極の切替えを行なうように指令を出力し、これに基づいて端子切替部２２は、複数の電極ＨＲ，ＨＬ，ＢＵ１〜ＢＵ４，ＢＬ１〜ＢＬ４，ＦＲ，ＦＬのそれぞれを、図１（Ｂ）に示した各電極の如くに設定する。
【０１０８】
次に、制御部１０は、定電流印加電極間に定電流を印加する（ステップＳ９）。具体的には、制御部１０は、定電流生成部２１に対して定電流を生成するように指令を出力し、これに基づいて定電流生成部２１は、図１（Ｂ）に示した定電流印加電極間に生成した定電流ＩB1，ＩB2をそれぞれ印加する。
【０１０９】
次に、制御部１０は、電位差検出電極間の電位差を検出する（ステップＳ１０）。具体的には、制御部１０は、電位差検出部２３に対して電位差を検出するように指令を出力し、これに基づいて電位差検出部２３は、図１（Ｂ）に示した電位差検出電極間の電位差ＶB1，ＶB2を検出し、これを生体インピーダンス測定部１２に対して出力する。
【０１１０】
次に、制御部１０は、生体インピーダンスＺｓを算出する（ステップＳ１１）。具体的には、制御部１０は、電位差検出部２３から入力された信号に基づいて生体インピーダンス測定部１２において生体インピーダンスＺｓを算出する。算出された生体インピーダンスＺｓは、メモリ部２９に一時的に保存される。
【０１１１】
次に、制御部１０は、内臓脂肪断面積および皮下脂肪断面積をそれぞれ算出する（ステップＳ１２）。具体的には、制御部１０は、ステップＳ３で検出された胴部の横幅２ａおよび縦幅２ｂと、ステップＳ７で算出された生体インピーダンスＺｔと、ステップＳ１１で算出された生体インピーダンスＺｓとに基づいて、内臓脂肪量算出部１４ａにおいて内臓脂肪量としての内臓脂肪断面積Ｓｘを、皮下脂肪量算出部１４ｂにおいて皮下脂肪量としての皮下脂肪断面積Ｓｂとをそれぞれ算出する。なお、算出した内臓脂肪断面積Ｓｘおよび皮下脂肪断面積Ｓｂは、メモリ部２９に一時的に保存される。
【０１１２】
そして、制御部１０は、測定結果の表示を行なう（ステップＳ１３）。具体的には、制御部１０は、表示部２６に対してステップＳ１２において算出した内臓脂肪断面積Ｓｘおよび皮下脂肪断面積Ｓｂを表示するように指令を出力し、これに基づいて表示部２６は、当該測定結果を表示する。
【０１１３】
以上により、体脂肪測定装置１Ａは、内臓脂肪断面積の測定処理および皮下脂肪断面積の測定処理を終了する。なお、生体インピーダンスＺｔの典型的な値は、約５Ω程度であり、生体インピーダンスＺｓの典型的な値は、約８０Ω程度である。
【０１１４】
以上において説明した本実施の形態における体脂肪測定装置１Ａにあっては、背部用電極ＢＵ１〜ＢＵ４，ＢＬ１〜ＢＬ４を被験者の背部に押圧した状態で接触させるための装着ユニット１００Ａに、当該背部用電極ＢＵ１〜ＢＵ４，ＢＬ１〜ＢＬ４が露出して設けられるとともに、上肢用電極としての手用電極ＨＲ，ＨＬが露出して設けられている。すなわち、背部用電極ＢＵ１〜ＢＵ４，ＢＬ１〜ＢＬ４と手用電極ＨＲ，ＨＬとが、単一のユニットとして構成された装着ユニット１００Ａに一体的に設けられている。
【０１１５】
また、より詳細には、背部用電極ＢＵ１〜ＢＵ４，ＢＬ１〜ＢＬ４は、いずれも装着ユニット１００Ａの枠体１１０の後部に設けられており、手用電極ＨＲ，ＨＬは、いずれも装着ユニット１００Ａの枠体１１０の後部を除く右側部および左側部に設けられている。すなわち、手用電極ＨＲ，ＨＬは、背部用電極ＢＵ１〜ＢＵ４，ＢＬ１〜ＢＬ４と距離もって当該背部用電極ＢＵ１〜ＢＵ４，ＢＬ１〜ＢＬ４が設けられた部分の枠体１１０から連続して延びる部分に設けられており、より具体的には、装着状態において被験者の左右に位置することになる部分の枠体１１０に設けられている。
【０１１６】
したがって、装着ユニット１００Ａを右手および左手で把持することで手用電極ＨＲ，ＨＬを右手の掌および左手の掌のそれぞれに接触配置することができるとともに、当該装着ユニット１００Ａを右手および左手で把持した状態を維持しつつ当該装着ユニット１００Ａに設けられた背部用電極ＢＵ１〜ＢＵ４，ＢＬ１〜ＢＬ４を背部表面に押圧した状態で接触配置することができる。
【０１１７】
ここで、上述した本実施の形態における体脂肪測定装置１Ａの如くの構成を採用せずに、被験者の背部表面に電極を接触配置するように構成した場合には、背部電極と被験者の背部表面の安定的な接触を維持することが困難となり、そのため通常であれば、当該接触を安定化させるために、被験者が仰臥姿勢かあるいは伏臥姿勢をとることが必要となる。しかしながら、そのように装置を構成した場合には、補助者等の協力を得ずに被験者自らが１人で測定を行なうことが非常に困難となってしまい、結果的に家庭等において使用することのできない体脂肪測定装置となってしまう。
【０１１８】
しかしながら、上述したように、本実施の形態における体脂肪測定装置１Ａにあっては、背部用電極ＢＵ１〜ＢＵ４，ＢＬ１〜ＢＬ４と手用電極ＨＲ，ＨＬとが、単一のユニットとして構成された装着ユニット１００Ａに一体的に設けられているため、簡単な操作で起立姿勢にある被験者の背部表面に背部用電極ＢＵ１〜ＢＵ４，ＢＬ１〜ＢＬ４を安定的に接触させることが可能となり、また当該安定して被験者の背部表面に背部用電極ＢＵ１〜ＢＵ４，ＢＬ１〜ＢＬ４が接触した状態を測定動作中において維持することができる。そのため、本実施の形態における体脂肪測定装置１Ａにあっては、体脂肪量の測定の際に要求される被験者の操作が簡略化されて簡単な操作で体脂肪量の測定を容易に行なうことができるばかりでなく、被験者自らが補助者等の協力を得ずとも１人で測定を行なうことができる。
【０１１９】
また、本実施の形態における体脂肪測定装置１Ａにあっては、被験者の背部表面に背部用電極ＢＵ１〜ＢＵ４，ＢＬ１〜ＢＬ４を接触配置させた状態での内臓脂肪量や皮下脂肪量等の体脂肪量の測定が可能であるため、相対的に皮下脂肪の厚みの薄い腹部に電流を局所的に印加するのではなく、相対的に皮下脂肪の厚みの厚い背部に電流を局所的に印加することが可能になり、より高精度に体脂肪量を測定することができる。
【０１２０】
したがって、本実施の形態における体脂肪測定装置１Ａとすることにより、家庭等においても容易にかつ高精度に内臓脂肪量および皮下脂肪量等の体脂肪量が測定できる体脂肪測定装置とすることができる。そのため、当該体脂肪測定装置１Ａを利用することにより、日常的にこれら健康管理のための指標を得ることが可能となる。
【０１２１】
（実施の形態２）
図１２は、本発明の実施の形態２における体脂肪測定装置の斜視図である。次に、この図１２を参照して、本実施の形態における体脂肪測定装置の具体的な構造について説明する。なお、本実施の形態における体脂肪測定装置の測定原理および制御部で実施される演算処理は、上述した本発明の実施の形態１における体脂肪測定装置のそれらと同様である。
【０１２２】
図１２に示すように、本実施の形態における体脂肪測定装置１Ｂは、上述した本発明の実施の形態１における体脂肪測定装置１Ａと同様に、装着状態において被験者の胴部を取り囲むように配置することが可能な枠状の形状を有する装着ユニット１００Ｂを備えている。しかしながら、本実施の形態における体脂肪測定装置１Ｂは、上述した本発明の実施の形態１における体脂肪測定装置１Ａと異なり、被験者が乗ることが可能な台状の台ユニットを備えておらず、代わりに、装着ユニット１００Ｂから引き出すことが可能に構成された引き出しユニット部としての電極パッド１２５Ａ，１２５Ｂを有している。
【０１２３】
電極パッド１２５Ａ，１２５Ｂは、略平板状の形状を有しており、当該電極パッド１２５Ａ，１２５Ｂの主面には、それぞれ下肢または臀部の表面に接触させるための下肢臀部用電極としての足臀部用電極ＦＬ′，ＦＲ′が露出して設けられている。電極パッド１２５Ａ，１２５Ｂの上部には、接続ケーブル１２６Ａ，１２６Ｂの一端が接続されており、接続ケーブル１２６Ａ，１２６Ｂの他端は、電極支持体１２０の内部に設けられたリール体に固定されている。なお、本実施の形態における装着ユニット１００Ｂにおいては、上記リール体を電極支持体１２０の内部に配置することが可能となるように、電極支持体１２０をブロック状の部材として構成し、これを枠体１１０の後部枠状部１１１の略中央部に取付けることとしている。
【０１２４】
これにより、電極パッド１２５Ａ，１２５Ｂは、いずれも図中に示す矢印Ｄ１，Ｄ２方向に接続線としての接続ケーブル１２６Ａ，１２６Ｂが出し入れされることで装着ユニット１００Ｂの下方に向けて引き出し可能とされている。すなわち、接続ケーブル１２６Ａ，１２６Ｂの引き出し量を調節することにより、電極パッド１２５Ａ，１２５Ｂを被験者の下肢または臀部の任意の位置に取付けることが可能とされている。
【０１２５】
以上において説明した本実施の形態における体脂肪測定装置１Ｂとすることにより、上述した本発明の実施の形態１において説明した効果と同様の効果を得ることができる。加えて本実施の形態にける体脂肪測定装置１Ｂにあっては、起立姿勢での測定に加え、着座姿勢での測定も可能になるため、さらに容易に体脂肪量の測定を行なうことができる。また、本実施の形態にける体脂肪測定装置１Ｂにあっては、台ユニットを備えていないため、装置構成が簡略化されるとともに、装置を小型化することもできる。
【０１２６】
なお、電極パッド１２５Ａ，１２５Ｂとしては、被験者の身体に吸着固定される構成のものや粘着固定される構成のもの、あるいは何らかの巻き付け部材を用いて巻き付け固定される構成のもの等が使用でき、さらには特に固定されることなく被験者の身体と座面あるいは床面との間で挟み込んで固定されるように構成されたもの等の使用も可能である。
【０１２７】
（実施の形態３）
図１３（Ａ）および図１３（Ｂ）は、本発明の実施の形態３における体脂肪測定装置の測定原理を説明するための図である。ここで、図１３（Ａ）は、胴部全体の生体インピーダンスを得る場合の電極配置を示した図であり、図１３（Ｂ）は、胴部のうちの背部側の表層部分の生体インピーダンスを得る場合の電極配置を示した図である。まず、これら図１３（Ａ）および図１３（Ｂ）を参照して、本実施の形態における体脂肪測定装置の測定原理について説明する。なお、図１３（Ａ）および図１３（Ｂ）においては、被験者をいずれも背中側から見た様子を示している。
【０１２８】
本実施の形態における体脂肪測定装置の測定原理も、上述した本発明の実施の形態１において説明した測定原理と基本的には同様である。しかしながら、胴部全体の生体インピーダンスを得る際に使用する電極の配置位置が、上記本発明の実施の形態１におけるそれと若干相違している。
【０１２９】
具体的には、図１３（Ａ）に示すように、胴部全体の生体インピーダンスを得るためには、被験者の左手の表面および右手の表面にそれぞれ電極ＥＩａA1，ＥＩａA2が取付けられる。また、被験者の背部表面には、体軸方向に沿って並ぶように配置された一対の電極が、胴部の横幅方向に沿って４組取付けられるとともに、当該４組の電極対が接触配置された背部表面よりもさらに臀部寄りの背部表面に、胴部の横幅方向に並ぶように４個の電極が取付けられる。すなわち、被験者の背部表面には、図示するように、電極ＥＶａA1，ＥＶｂA1，ＥＶａA2，ＥＶｂA2，ＥＶａA3，ＥＶｂA3，ＥＶａA4，ＥＶｂA4，ＥＩｂA1，ＥＩｂA2，ＥＩｂA3，ＥＩｂA4の合計１２個の電極が取付けられる。
【０１３０】
この状態において、両手および背部の臀部寄りの部分のそれぞれに取付けられた電極ＥＩａA1，ＥＩａA2，ＥＩｂA1，ＥＩｂA2，ＥＩｂA3，ＥＩｂA4を用いて、胴部を通る定電流ＩAが被験者に印加される。そして、この定電流ＩAが印加された状態において、背部表面に取付けられた一対の電極ＥＶａA1，ＥＶｂA1を用いて電位差ＶA1が検出され、背部表面に取付けられた一対の電極ＥＶａA2，ＥＶｂA2を用いて電位差ＶA2が検出され、背部表面に取付けられた一対の電極ＥＶａA3，ＥＶｂA3を用いて電位差ＶA3が検出され、背部表面に取付けられた一対の電極ＥＶａA4，ＥＶｂA4を用いて電位差ＶA4が検出される。
【０１３１】
本実施の形態における体脂肪測定装置１Ｃにあっては、このようにして検出された電位差ＶA1，ＶA2，ＶA3，ＶA4から、胴部全体の生体インピーダンスＺｔが算出される。なお、胴部のうちの背部側の表層部分の生体インピーダンスＺｓを得るための電極配置、定電流の印加状態および電位差の検出状態は、図１３（Ｂ）に示すように、いずれも上述した本発明の実施の形態１におけるそれらと同様である。
【０１３２】
図１４は、本実施の形態における体脂肪測定装置の機能ブロックの構成を示す図である。次に、この図１４を参照して、本実施の形態における体脂肪測定装置の機能ブロックの構成について説明する。
【０１３３】
図１４に示すように、本実施の形態における体脂肪測定装置１Ｃは、上述した本発明の実施の形態１における体脂肪測定装置１Ａと近似の構成を有しているが、端子切替部２２に接続される複数の電極の構成において若干相違する。すなわち、本実施の形態における体脂肪測定装置１Ｃは、複数の電極として電極ＨＲ，ＨＬ，ＢＵ１〜ＢＵ４，ＢＬ１〜ＢＬ４，ＢＡ１〜ＢＡ４を備えている。
【０１３４】
上述した複数の電極は、被験者の上肢の表面に接触配置される上肢用電極としての手用電極ＨＲ，ＨＬと、被験者の背部表面に接触配置される背部用電極ＢＵ１〜ＢＵ４，ＢＬ１〜ＢＬ４，ＢＡ１〜ＢＡ４とを含んでいる。このうち、手用電極ＨＲ，ＨＬは、被験者の掌に接触配置される。また、背部用電極ＢＵ１〜ＢＵ４，ＢＬ１〜ＢＬ４，ＢＡ１〜ＢＡ４は、図１３（Ａ）および図１３（Ｂ）に示したように、被験者の背部表面に整列した状態で接触配置される。なお、これら手用電極ＨＲ，ＨＬおよび背部用電極ＢＵ１〜ＢＵ４，ＢＬ１〜ＢＬ４，ＢＡ１〜ＢＡ４は、いずれも上述した端子切替部２２に電気的に接続されている。
【０１３５】
図１５は、本実施の形態における体脂肪測定装置の斜視図である。次に、この図１５を参照して、本実施の形態における体脂肪測定装置の具体的な構造について説明する。
【０１３６】
図１５に示すように、本実施の形態における体脂肪測定装置１Ｃは、上述した本発明の実施の形態１における体脂肪測定装置１Ａと同様に、装着状態において被験者の胴部を取り囲むように配置することが可能な枠状の形状を有する装着ユニット１００Ｃを備えている。しかしながら、本実施の形態における体脂肪測定装置１Ｃは、上述した本発明の実施の形態１における体脂肪測定装置１Ａと異なり、被験者が乗ることが可能な台状の台ユニットは備えていない。代わりに、本実施の形態における体脂肪測定装置１Ｃにあっては、枠体１１０に取付けられた電極支持体１２０に背部用電極ＢＡ１〜ＢＡ４がさらに追加されている。
【０１３７】
具体的には、曲成された湾曲板からなる電極支持体１２０が、上記本発明の実施の形態１におけるそれよりも下方に向けてさらに延長され、当該延長された部分の電極支持体１２０の前面１２１に背部用電極ＢＡ１〜ＢＡ４が設けられている。ここで、背部用電極ＢＡ１〜ＢＡ４は、いずれも電極支持体１２０の前面１２１において露出するように設けられており、好ましくは、当該背部用電極ＢＡ１〜ＢＡ４は、電極支持体１２０の前面１２１から僅かに突出している。これにより、背部用電極ＢＡ１〜ＢＡ４は、背部用電極ＢＵ１〜ＢＵ４，ＢＬ１〜ＢＬ４と同様に、装着状態において被験者の背部表面に接触配置されることになる。
【０１３８】
以上において説明した本実施の形態における体脂肪測定装置１Ｃとすることにより、上述した本発明の実施の形態１において説明した効果と同様の効果を得ることができる。加えて本実施の形態にける体脂肪測定装置１Ｃにあっては、起立姿勢での測定に加え、着座姿勢での測定も可能になるため、さらに容易に体脂肪量の測定を行なうことができる。また、本実施の形態にける体脂肪測定装置１Ｃにあっては、台ユニットを備えていないため、装置構成が簡略化されるとともに、装置を小型化することもできる。
【０１３９】
（実施の形態４）
図１６は、本発明の実施の形態４における体脂肪測定装置の斜視図である。次に、この図１６を参照して、本実施の形態における体脂肪測定装置の具体的な構造について説明する。なお、本実施の形態における体脂肪測定装置の測定原理および制御部で実施される演算処理は、上述した本発明の実施の形態１における体脂肪測定装置のそれらと同様である。
【０１４０】
図１６に示すように、本実施の形態における体脂肪測定装置１Ｄは、上述した本発明の実施の形態１における体脂肪測定装置１Ａと同様に、装着ユニットと、台ユニットとを備えている。しかしながら、本実施の形態における体脂肪測定装置１Ｄにあっては、上述した本発明の実施の形態１における体脂肪測定装置１Ａと装着ユニットの構造において相違している。
【０１４１】
具体的には、図１６に示すように、装着ユニット１００Ｄは、後述する装着状態において被験者の胴部に巻き付けが可能なベルト状の形状を有している。装着ユニット１００Ｄは、ベルト部材１４０とバックル部１５１，１５２とを含んでおり、バックル部１５１，１５２は、ベルト部材１４０の長手方向の両端部にそれぞれ取付けられている。バックル部１５１，１５２は、ベルト部材１４０の両端部を係止することでベルト部材１４０を環状の形態に固定するためのものである。また、一方のバックル部１５１の前面には、被験者情報入力部２５、表示部２６、および電源ボタンを含む操作部２７が設けられている。
【０１４２】
ベルト部材１４０の後部の略中央部には、内側に向けて突出するように電極支持体１２０が配置されている。電極支持体１２０は、その両端部が前方に位置するとともにその中央部が後方に位置するように曲成された湾曲板にて構成されている。電極支持体１２０の前面１２１には、上述した背部用電極ＢＵ１〜ＢＵ４，ＢＬ１〜ＢＬ４が露出するように設けられており、好ましくは、当該背部用電極ＢＵ１〜ＢＵ４，ＢＬ１〜ＢＬ４は、電極支持体１２０の前面１２１から僅かに突出している。ここで、上記電極支持体１２０は、後述する装着状態において背部用電極ＢＵ１〜ＢＵ４，ＢＬ１〜ＢＬ４の被験者の背部表面に対する接触面が前方を向くように、ベルト部材１４０の後部の内周面に位置決めして取付けられている。
【０１４３】
また、ベルト部材１４０の右前部の外周面には、手用電極ＨＲが設けられている。手用電極ＨＲは、ベルト部材１４０の外周面において露出して位置しており、好ましくは、当該手用電極ＨＲは、ベルト部材１４０の外周面から僅かに突出している。ここで、手用電極ＨＲが設けられた部分のベルト部材１４０は、後述する装着状態において被験者の右手の掌を宛がうことで把持することなく当該掌を手用電極ＨＲに接触させることが可能な滑らかな湾曲面として形成されている。
【０１４４】
当該手用電極ＨＲが設けられた部分のベルト部材１４０には、他の部分に比較して幅が広くなるように形成された幅広部１４１が設けられており、上記手用電極ＨＲは、この幅広部１４１の略中央部に配置されている。なお、当該幅広部１４１は、後述する装着状態において被験者の右手の掌と腹部とが接触して当該部分において短絡が生じることを防止するためのものである。
【０１４５】
また、ベルト部材１４０の左前部の外周面には、手用電極ＨＬが設けられている。手用電極ＨＬは、ベルト部材１４０の外周面において露出して位置しており、好ましくは、当該手用電極ＨＬは、ベルト部材１４０の外周面から僅かに突出している。ここで、手用電極ＨＬが設けられた部分のベルト部材１４０は、後述する装着状態において被験者の左手の掌を宛がうことで把持することなく当該掌を手用電極ＨＬに接触させることが可能な滑らかな湾曲面として形成されている。
【０１４６】
当該手用電極ＨＬが設けられた部分のベルト部材１４０には、他の部分に比較して幅が広くなるように形成された幅広部１４２が設けられており、上記手用電極ＨＬは、この幅広部１４２の略中央部に配置されている。なお、当該幅広部１４２は、後述する装着状態において被験者の左手の掌と腹部とが接触して当該部分において短絡が生じることを防止するためのものである。
【０１４７】
なお、装着ユニット１００Ｄには、巻き付け長さ調節機構が設けられていてもよい。このように構成すれば、被験者の胴部周囲長にあわせて適切な巻き付け長さにベルト部材１４０を調節して被験者の胴部に装着ユニット１００Ｄを巻き付けることが可能になる。また、当該巻き付け長さ調節機構をベルト部材１４０に設ける場合には、さらに巻き付け長さ検出機構を設けることとしてもよい。このように構成すれば、被験者の胴部周囲長を実測することが可能になり、体脂肪量の測定の際の被験者情報としてこれを利用することが可能になる。
【０１４８】
図１７は、本実施の形態における体脂肪測定装置の装着ユニットの装着状態を示す図である。次に、この図１７を参照して、本実施の形態における体脂肪測定装置の装着ユニットの装着状態について説明する。
【０１４９】
図１７に示すように、本実施の形態における体脂肪測定装置１Ｄを用いて体脂肪量の測定を行なう場合には、被験者３００は、装着ユニット１００Ｄを胴部３０５の周方向に沿って巻き付けた状態とし、この状態で台ユニット２００に乗る。このとき、被験者３００は、装着ユニット１００Ｄに設けられた電極支持体１２０の前面１２１が背部表面（より具体的には、背中側の腰の表面）に押し当てられることとなるように、装着ユニット１００Ｄの巻き付け位置を調整するとともに、右足３０１の足の裏が台ユニット２００に設けられた足用電極ＦＲに接触し、かつ左足３０２の足の裏が台ユニット２００に設けられた足用電極ＦＬに接触するようにする。
【０１５０】
次に、被験者３００は、装着ユニット１００Ｄの右前部および左前部に位置する手用電極ＨＲ，ＨＬにそれぞれ右手３０３の掌および左手３０４の掌を宛がう。このとき、被験者３００は、右手３０３の掌が装着ユニット１００Ｄに設けられた手用電極ＨＲに接触し、かつ左手３０４の掌が装着ユニット１００Ｄに設けられた手用電極ＨＬに接触するようにする。
【０１５１】
以上により、図１７に示す如くの装着ユニット１００Ｄの装着状態が実現され、体脂肪量の測定が開始可能となる。ここで、体脂肪量の測定を開始するためには、被験者３００は、右手３０３の親指でバックル部１５１に設けられた測定ボタンを押下すればよい。
【０１５２】
以上において説明した本実施の形態における体脂肪測定装置１Ｄにあっては、背部用電極ＢＵ１〜ＢＵ４，ＢＬ１〜ＢＬ４を被験者の背部に押圧した状態で接触させるための装着ユニット１００Ｄに、当該背部用電極ＢＵ１〜ＢＵ４，ＢＬ１〜ＢＬ４が露出して設けられるとともに、上肢用電極としての手用電極ＨＲ，ＨＬが露出して設けられている。すなわち、背部用電極ＢＵ１〜ＢＵ４，ＢＬ１〜ＢＬ４と手用電極ＨＲ，ＨＬとが、単一のユニットとして構成された装着ユニット１００Ｄに一体的に設けられている。
【０１５３】
また、より詳細には、背部用電極ＢＵ１〜ＢＵ４，ＢＬ１〜ＢＬ４は、いずれも装着ユニット１００Ｄのベルト部材１４０の後部に設けられており、手用電極ＨＲ，ＨＬは、いずれも装着ユニット１００Ｄのベルト部材１４０の後部を除く右前部および左前部に設けられている。すなわち、手用電極ＨＲ，ＨＬは、背部用電極ＢＵ１〜ＢＵ４，ＢＬ１〜ＢＬ４と距離もって当該背部用電極ＢＵ１〜ＢＵ４，ＢＬ１〜ＢＬ４が設けられた部分のベルト部材１４０から連続して延びる部分に設けられており、より具体的には、装着状態において被験者の左右の前方に位置することになる部分のベルト部材１４０に設けられている。
【０１５４】
したがって、装着ユニット１００Ｄを胴部に巻き付けることにより、当該装着ユニット１００Ｄに設けられた背部用電極ＢＵ１〜ＢＵ４，ＢＬ１〜ＢＬ４を背部表面に押圧した状態で接触配置することができるとともに、装着ユニット１００Ｄの所定位置に右手および左手を宛がうことにより、何ら把持することなく当該装着ユニット１００Ｄに設けられた手用電極ＨＲ，ＨＬを右手の掌および左手の掌のそれぞれに接触配置することができる。
【０１５５】
ここで、上述した本実施の形態における体脂肪測定装置１Ｄの如くの構成を採用せずに、被験者の背部表面に電極を接触配置するように構成した場合には、背部電極と被験者の背部表面の安定的な接触を維持することが困難となり、そのため通常であれば、当該接触を安定化させるために、被験者が仰臥姿勢かあるいは伏臥姿勢をとることが必要となる。しかしながら、そのように装置を構成した場合には、補助者等の協力を得ずに被験者自らが１人で測定を行なうことが非常に困難となってしまい、結果的に家庭等において使用することのできない体脂肪測定装置となってしまう。
【０１５６】
しかしながら、上述したように、本実施の形態における体脂肪測定装置１Ｄにあっては、背部用電極ＢＵ１〜ＢＵ４，ＢＬ１〜ＢＬ４と手用電極ＨＲ，ＨＬとが、単一のユニットとして構成された装着ユニット１００Ｄに一体的に設けられているため、簡単な操作で起立姿勢にある被験者の背部表面に背部用電極ＢＵ１〜ＢＵ４，ＢＬ１〜ＢＬ４を安定的に接触させることが可能となり、また当該安定して被験者の背部表面に背部用電極ＢＵ１〜ＢＵ４，ＢＬ１〜ＢＬ４が接触した状態を測定動作中において維持することができる。そのため、本実施の形態における体脂肪測定装置１Ｄにあっては、体脂肪量の測定の際に要求される被験者の操作が簡略化されて簡単な操作で体脂肪量の測定を容易に行なうことができるばかりでなく、被験者自らが補助者等の協力を得ずとも１人で測定を行なうことができる。
【０１５７】
また、本実施の形態における体脂肪測定装置１Ｄにあっては、被験者の背部表面に背部用電極ＢＵ１〜ＢＵ４，ＢＬ１〜ＢＬ４を接触配置させた状態での内臓脂肪量や皮下脂肪量等の体脂肪量の測定が可能であるため、相対的に皮下脂肪の厚みの薄い腹部に電流を局所的に印加するのではなく、相対的に皮下脂肪の厚みの厚い背部に電流を局所的に印加することが可能になり、より高精度に体脂肪量を測定することができる。
【０１５８】
したがって、本実施の形態における体脂肪測定装置１Ｄとすることにより、家庭等においても容易にかつ高精度に内臓脂肪量および皮下脂肪量等の体脂肪量が測定できる体脂肪測定装置とすることができる。そのため、当該体脂肪測定装置１Ｄを利用することにより、日常的にこれら健康管理のための指標を得ることが可能となる。
【０１５９】
図１８および図１９は、本実施の形態に基づいた第１および第２変形例に係る体脂肪測定装置の斜視図である。次に、これら図１８および図１９を参照して、本実施の形態に基づいた第１および第２変形例に係る体脂肪測定装置の具体的な構造について説明する。
【０１６０】
図１８に示すように、第１変形例に係る体脂肪測定装置１Ｅは、上述した本実施の形態における体脂肪測定装置１Ｄに、上述した本発明の実施の形態２における体脂肪測定装置１Ｂに具備させた如くの引き出しユニット部としての電極パッド１２５Ａ，１２５Ｂを具備させることにより、台ユニットを廃止したものである。具体的には、装着ユニット１００Ｅのベルト部材１４０の後部に取付けられたブロック状の電極支持体１２０に接続ケーブル１２６Ａ，１２６Ｂを介して電極パッド１２５Ａ，１２５Ｂを引き出し可能に接続し、これら電極パッド１２５Ａ，１２５Ｂのそれぞれの主面に、下肢または臀部の表面に接触させるための下肢臀部用電極としての足臀部用電極ＦＬ′，ＦＲ′を露出して設けている。
【０１６１】
このように構成した場合にも、上述した本実施の形態において説明した効果と同様の効果を得ることができる。さらに、本変形例に係る体脂肪測定装置１Ｅとすることにより、起立姿勢での測定に加え、着座姿勢での測定も可能になるため、さらに容易に体脂肪量の測定を行なうことができる。また、本実施の形態にける体脂肪測定装置１Ｅにあっては、台ユニットを備えていないため、装置構成が簡略化されるとともに、装置を小型化することもできる。
【０１６２】
図１９に示すように、第２変形例に係る体脂肪測定装置１Ｆは、上述した本実施の形態における体脂肪測定装置１Ｄに、上述した本発明の実施の形態３における体脂肪測定装置１Ｃに具備させた如くの電極支持体を具備させることにより、台ユニットを廃止したものである。具体的には、装着ユニット１００Ｆのベルト部材１４０の後部に取付けられた湾曲板からなる電極支持体１２０の前面１２１に背部用電極ＢＡ１〜ＢＡ４を露出して設けることにより、当該背部用電極ＢＡ１〜ＢＡ４を、背部用電極ＢＵ１〜ＢＵ４，ＢＬ１〜ＢＬ４と同様に、装着状態において被験者の背部表面に接触配置可能にしている。
【０１６３】
このように構成した場合にも、上述した本実施の形態において説明した効果と同様の効果を得ることができる。さらに、本変形例に係る体脂肪測定装置１Ｆとすることにより、起立姿勢での測定に加え、着座姿勢での測定も可能になるため、さらに容易に体脂肪量の測定を行なうことができる。また、本実施の形態にける体脂肪測定装置１Ｆにあっては、台ユニットを備えていないため、装置構成が簡略化されるとともに、装置を小型化することもできる。
【０１６４】
なお、以上において説明した本発明の実施の形態１ないし４およびその変形例のうち、本発明の実施の形態１ないし３においては、装着ユニット１００Ａ〜１００Ｃの枠体１１０の右側部枠状部１１２および左側部枠状部１１３に手用電極ＨＲ，ＨＬをそれぞれ設けた場合を例示して説明を行なったが、当該手用電極ＨＲ，ＨＬは、枠体１１０の前部枠状部１１４に設けてもよい。
【０１６５】
また、上述した本発明の実施の形態１ないし３においては、装着ユニット１００Ａ〜１００Ｃの枠体１１０の一部を不連続とした場合を例示して説明を行なったが、これを連続した形状のものにて構成してもよい。
【０１６６】
また、上述した本発明の実施の形態１ないし３においては、装着ユニット１００Ａ〜１００Ｃの枠体１１０を上面視略矩形の額縁状の外形を有するものにて構成した場合を例示して説明を行なったが、当該枠体１１０が他の形状、たとえば環状、Ｕ字状、Ｃ字状等の形状にて構成してもよい。
【０１６７】
また、上述した本発明の実施の形態４およびその変形例においては、装着ユニット１００Ｄ〜１００Ｆのベルト部材１４０の右前部および左前部の外周面に手用電極ＨＲ，ＨＬをそれぞれ設けた場合を例示して説明を行なったが、当該手用電極ＨＲ，ＨＬは、ベルト部材１４０の両側部（すなわち右側部および左側部）から前部にかけての外周面上のいずれかの位置であればどの位置に設けてもよい。
【０１６８】
また、上述した本発明の実施の形態４およびその変形例においては、装着ユニット１００Ｄ〜１００Ｆのベルト部材１４０の手用電極ＨＲ，ＨＬが設けられた部分が滑らかな湾曲面にて構成されるように曲成した場合を例示して説明を行なったが、当該部分の形状は、右手および左手を宛がうことで把持することなく右手の掌および左手の掌と手用電極ＨＲ，ＨＬとが接触配置可能な形状であれば、平面状等どのような形状としてもよい。
【０１６９】
また、上述した本発明の実施の形態１および４においては、台ユニット２００を具備した構成としているため、当該台ユニット２００に体重測定機能を具備させることとしてもよい。すなわち、台ユニット２００に荷重を検出する体重測定部としてのロードセル等を設けることにより、台ユニット２００に乗った被験者の体重を当該体重測定部にて測定可能に構成してもよい。その場合、台ユニット２００に設けた体重測定部にて測定された体重情報が制御部１０に入力されるように構成すれば、実測した被験者の体重を被験者情報として各種の演算処理に利用することが可能になる。
【０１７０】
また、上述した本発明の実施の形態１ないし４およびその変形例においては、内臓脂肪量として内臓脂肪断面積が算出されるとともに、皮下脂肪量として皮下脂肪断面積が算出されるように演算処理を構成した場合を例示して説明したが、内臓脂肪量が、内臓脂肪断面積以外の指標である内臓脂肪体積、内臓脂肪重量、内臓脂肪レベル等にて算出されるとともに、皮下脂肪量が、皮下脂肪断面積以外の指標である皮下脂肪体積、皮下脂肪重量、皮下脂肪レベル等にて算出されるように演算処理を構成してもよい。
【０１７１】
また、上述した本発明の実施の形態１ないし４およびその変形例においては、内臓脂肪断面積および皮下脂肪断面積のいずれもが算出されて表示されるように構成した場合を例示して説明を行なったが、これらのいずれかのみが表示されるように構成してもよいし、皮下脂肪断面積のみが算出されて表示されるように構成してもよい。さらには、内臓脂肪断面積および皮下脂肪断面積以外の各種体組成情報（たとえば体脂肪量や部位別脂肪量、除脂肪量等）を算出してこれを表示するように構成してもよい。
【０１７２】
このように、今回開示した上記各実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１７３】
１Ａ〜１Ｆ  体脂肪測定装置、１０  制御部、１１  演算処理部、１２  生体インピーダンス測定部、１３  体形情報測定部、１４  体組成情報取得部、１４ａ  内臓脂肪量算出部、１４ｂ  皮下脂肪量算出部、２１  定電流生成部、２２  端子切替部、２３  電位差検出部、２４Ａ  胴部横幅検出部、２４Ｂ  胴部縦幅検出部、２４Ａ１，２４Ａ２，２４Ｂ１  検出用窓部、２５  被験者情報入力部、２６  表示部、２７  操作部、２７ａ  測定ボタン、２８  電源部、２９  メモリ部、４０  接続ケーブル、１００Ａ〜１００Ｆ  装着ユニット、１１０  枠体、１１１  後部枠状部、１１２  右側部枠状部、１１３  左側部枠状部、１１４  前部枠状部、１１５  接続部、１２０  電極支持体、１２１  前面、１２５Ａ，１２５Ｂ  電極パッド、１２６Ａ，１２６Ｂ  接続ケーブル、１３０  表示用ユニット部、１４０  ベルト部材、１４１，１４２  幅広部、１５１，１５２  バックル部、２００  台ユニット、２１０  台部、２１１  上面、２２０  支持部、３００  被験者、３０１  右足、３０２  左足、３０３  右手、３０４  左手、３０５  胴部、ＨＲ，ＨＬ  手用電極、ＢＵ１〜ＢＵ４，ＢＬ１〜ＢＬ４，ＢＡ１〜ＢＡ４  背部用電極、ＦＲ，ＦＬ  足用電極、ＦＬ′，ＦＲ′  足臀部用電極。
【図１】
0005593767.tif 000002
【図２】
0005593767.tif 000003
【図３】
0005593767.tif 000004
【図４】
0005593767.tif 000005
【図５】
0005593767.tif 000006
【図６】
0005593767.tif 000007
【図７】
0005593767.tif 000008
【図８】
0005593767.tif 000009
【図９】
0005593767.tif 000010
【図１０】
0005593767.tif 000011
【図１１】
0005593767.tif 000012
【図１２】
0005593767.tif 000013
【図１３】
0005593767.tif 000014
【図１４】
0005593767.tif 000015
【図１５】
0005593767.tif 000016
【図１６】
0005593767.tif 000017
【図１７】
0005593767.tif 000018
【図１８】
0005593767.tif 000019
【図１９】
0005593767.tif 000020